(57)【要約】      （修正有）【課題】幅方向の長さ調節が可能なケーブルラックを提供する。【解決手段】一対の親桁２と、該親桁を所定の間隔で連結する複数の子桁３とから構成されるケーブルラック１であって、この子桁は一対の互いに重合して移動可能に形成された略逆Ｕ字形の部材からなり、長手方向で同じ長さとされ、且つ長手方向の所定位置で結合可能な複数の結合用孔部４が夫々穿設する。前記子桁の一端側は対向する前記親桁とそれぞれ接合され、他端側の子桁はそれぞれ重合されると共に、ボルト材によって少なくとも二箇所以上締結される。【選択図】図１
0003152948.tif 000002
【実用新案登録請求の範囲】
【請求項１】
一対の親桁と、該親桁を所定の間隔で連結する複数の子桁とから構成されるケーブルラックであって、この子桁は一対の互いに重合して移動可能に形成された略逆Ｕ字形の部材からなり、長手方向で同じ長さとされ、且つ長手方向の所定位置で結合可能な複数の結合用孔部が夫々穿設されており、前記子桁の一端側は対向する前記親桁とそれぞれ接合され、他端側の子桁は長手方向でそれぞれ重合されると共に、ボルト材によって少なくとも二箇所以上締結されることを特徴とするケーブルラック。
【請求項２】
前記複数の子桁の所定箇所には、前記親桁と平行して配置されたセパレータを着脱可能に保持する固定部材がさらに取り付けられ、該固定部材は金属若しくはプラスチックの線材からなり、中央部は二重の輪部を形成し、その両端は前記子桁に略直交して夫々係合可能な折り曲げ部を備えており、前記セパレータを前記二重の輪部にて弾設して保持すると共に、前記子桁と係合する折り曲げ部によって、子桁の長手方向に移動可能とすることを特徴とする請求項１記載のケーブルラック。
【考案の詳細な説明】
【技術分野】
【０００１】
本考案は、ケーブルラックであって、とくに現場で施工の際に子桁の長さを自在に変更して、一対の親桁の間隔を変更可能なケーブルラックに関するものである。
【背景技術】
【０００２】
従来のケーブルラックは、一対の親桁の間にその長手方向に所定の間隔で子桁が取り付けられ梯子状の構造をしており、この子桁の上にケーブルが乗せられる。そしてケーブルラックの大きさは、子桁の上に乗せられるケーブルのサイズや数量によって予め決定されるものである。
【０００３】
しかしながら、ケーブルラックを設置する現場作業の際には、予め設計しておいたサイズでケーブルが収まらない場合があり、またセパレータによってケーブルを分割して配置する場合もあるため、その都度ラックの幅を調整するか、再度大きさの違うケーブルラックを取り付ける必要があった。
【０００４】
そこで、一対の親桁の間にその長手方向に所定の間隔で子桁が取り付けられるケーブルラックにおいて、前記両親桁に側板を親桁の幅方向にスライド可能に取り付けたものが提案されている（特許文献１参照。）。また、横桟が、伸縮自在に入れ子状に構成されたケーブルラックもある（特許文献２参照。）。
【先行技術文献】
【特許文献】
【０００５】
【特許文献１】実開平０６−１３３２５号公報
【特許文献２】実開平０７−９０１５号公報
【考案の概要】
【考案が解決しようとする課題】
【０００６】
しかしながら、上記特許文献１に提案されているケーブルラックは、側板を垂直方向にスライドさせてケーブルの収容量を確保するものであり、ケーブルラックの幅方向にセパレータを配置する場合に適さないものであった。また特許文献２に記載されているケーブルラックは、幅方向にスライドさせる点において類似するものの、入れ子状に成形する必要があり、製造が複雑であると共に、施工に手間がかかるものとなった。
【０００７】
上記の問題点に鑑み本考案者は、製造が容易で、しかも現場の作業者が簡単にラックの幅やセパレータの取り付け位置調節ができるケーブルラックを提供するに至った。
【課題を解決するための手段】
【０００８】
このため、本考案のケーブルラックは、一対の親桁と、該親桁を所定の間隔で連結する複数の子桁とから構成されるケーブルラックであって、この子桁は一対の互いに重合して移動可能に形成された略逆Ｕ字形の部材からなり、長手方向で同じ長さとされ、且つ長手方向の所定位置で結合可能な複数の結合用孔部が夫々穿設されており、前記子桁の一端側は対向する前記親桁とそれぞれ接合され、他端側の子桁は長手方向でそれぞれ重合されると共に、ボルト材によって少なくとも二箇所以上締結されることを特徴とする。
【０００９】
また、上記子桁に設けられた結合用孔部の形状は、丸孔や角孔に限らず、長孔であってもかまわない。
【００１０】
そして、前記複数の子桁の所定箇所には、前記親桁と平行して配置されたセパレータを着脱可能に保持する固定部材がさらに取り付けられ、該固定部材は金属若しくはプラスチックの線材からなり、中央部は二重の輪部を形成し、その両端は前記子桁に略直交して夫々係合可能な折り曲げ部を備えており、前記セパレータを前記二重の輪部にて弾設して保持すると共に、前記子桁と係合する折り曲げ部によって、子桁の長手方向に移動可能とすることを特徴とする。
【考案の効果】
【００１１】
本考案に係るケーブルラックによれば、略逆Ｕ字形の部材に形成された一対の子桁が重合され、且つ複数の結合用孔部によって所定の位置で締結可能とされているため、収容するケーブルのサイズや数が変更となっても、現場でラックの幅の変更ができるという効果を有する。
【００１２】
さらに、結合用孔部にボルト材を挿入して締結することで、ケーブルラックの幅方向でリニアに幅調節ができるという効果がある。
【００１３】
しかも、子桁に取り付けられたセパレータは、固定部材の二重の輪部によって弾設して保持されており、治工具などを必要とせずに装着することができ、しかもこの固定部材は子桁の長手方向に移動可能であるという効果がある。
【図面の簡単な説明】
【００１４】
【図１】本考案に係るケーブルラックの一実施例を示す説明図である。
【図２】図１の拡大説明図である。
【図３】セパレータ固定部材の説明図である。
【図４】セパレータの使用状態を示す斜視説明図である。
【考案を実施するための形態】
【００１５】
以下、本考案を実施例を示す図面を参照しながら説明するが、本考案が本実施例に限定されないことは言うまでもない。図１は、本考案のケーブルラックの一実施例を示す説明図であり、図１ａは平面説明図、図１ｂは側面説明図である。図２は図１の拡大説明図であり、図２ａは側面説明図、図２ｂはＡ−Ａ線断面説明図である。図３はセパレータ固定部材の説明図であり、図４はセパレータの使用状態を示す斜視説明図である。
【実施例】
【００１６】
図１に示すように、本考案のケーブルラック１は、一対の親桁２と、この親桁２を長手方向で連結する複数の子桁３とから構成されている。
【００１７】
親桁２は、側面視コ字形状の鋼材からなり、厚さ２．３ｍｍ、高さ１００ｍｍ又は１５０ｍｍで長さ３０００ｍｍの長尺に形成されており、表面は溶融亜鉛メッキが施されている。子桁３は略逆Ｕ字形状の鋼材からなり、外子桁３ａと内子桁３ｂとで構成されており、夫々一端側は親桁２の内側下部に溶接して取り付けられると共に、長手方向でスライド可能に重合する。そして外子桁３ａ及び内子桁３ｂの所定箇所には結合用孔部４が複数対向して穿設されており、後述するボルト材によって外子桁３ａと内子桁３ｂとが締結される。
【００１８】
子桁３は、親桁２と同じ鋼材から形成されており、表面の溶融亜鉛メッキも同様である。また、子桁３の長手方向の長さは、同じ長さで形成された外子桁３ａと内子桁３ｂの結合用孔部４の位置によって種々選択することが可能であり、とくに結合用孔部４の形状を長孔に形成することによって、ｃｍ単位で調節することができる。
【００１９】
図２は本考案のケーブルラックの拡大説明図であり、図２ａは外子桁３ａと内子桁３ｂとを重合させて矢印方向に伸縮させた状態を示している。図２ｂは図２ａのＡ−Ａ線断面図であり、外子桁３ａと内子桁３ｂに穿設された結合用孔部４を対応させて、ボルト５が挿入され、ナット６によって締結されている。尚、図２においてボルト５及びナット６をそれぞれ４個使用しているが、少なくとも２個以上することによって充分な強度が確保される。
【００２０】
上記構成のケーブルラックは、工場や構築物に専用の取り付け金具によって容易に取り付けることができる。そして、現場において上記の子桁３上に複数のケーブルを載置する際に、寸法の誤差などがあっても、子桁３の長さを簡単に変更できる。
【００２１】
図３及び図４は本考案のケーブルラックに使用される、セパレータ及びその固定部材を示しており、図３ａは側面説明図、図３ｂは正面説明図である。図に示すように、固定部材７はスプリング鋼材からなる線材で形成されており、中央部は二重の輪部８を形成し、その両端は子桁３の上部から折り曲げて取り付け可能な係合部９を形成している。この構成によって、作業者は固定部材７を複数の子桁３の任意の位置で係合部９を指などで拡げながら係合させて取り付けることができる。そして上記二重の輪部８を子桁３の長手方向に広げて隙間を形成し、後述するセパレータを挿入することができる。
【００２２】
図４は、複数の子桁３に直交してセパレータ１０をセットした状態を示しており、セパレータ１０は長尺の金属板材からなり親桁（図示せず）と平行に配置されて使用される。まず子桁３の所定の位置に固定部材７を複数取り付け、この固定部材７の二重の輪部８にセパレータ１０を挿入することで、簡単に取り付けることができる。さらに、このケーブルラックの載置されるケーブルが制御系、動力系、或いは計算機関連などの予め分離しておく必要が有る場合にも、固定部材７を子桁３の長手方向に移動させることによって、位置の移動や、新規の追加の際に簡単に位置決めすることができる。
【００２３】
以上、本考案のケーブルラックによれば、一対の互いに重合して移動可能に形成された略逆Ｕ字形の部材からなる子桁を使用しているため、ケーブルラックの幅を簡単に変更することが可能であり、とくに現場の作業性がよい。しかも構造が簡単であり、製造が簡単であり安価に作成できる。
【符号の説明】
【００２４】
１              ケーブルラック
２              親桁
３              子桁
３ａ            外子桁
３ｂ            内子桁
４              結合用孔部
５              ボルト
６              ナット
７              固定部材
８              輪部
９              係合部
１０              セパレータ
【図１】
0003152948.tif 000003
【図２】
0003152948.tif 000004
【図３】
0003152948.tif 000005
【図４】
0003152948.tif 000006